(57)【特許請求の範囲】
【請求項１】
医師、看護師、臨床技師及び医療施設管理者を含む医療施設の従事者のための情報の格納及び抽出のためのシステム上で実行可能であるユーザ中心アプリケーションソフトウェアルーチンを有するコンピュータ可読媒体であって、
当該ルーチンが前記システム上で実行されると、
前記医療施設における第１の役割を有する第１クラスの第１ユーザが前記システムにログインすることに応答して、前記第１ユーザの第１クラスに対して予め設定された前記第１の役割に関連する第１タスク群のオプションのリストを示す第１ページをワークステーション上に表示するステップと、
前記医療施設における第２の役割を有する第２クラスの第２ユーザが前記システムにログインすることに応答して、前記第２ユーザの第２クラスに対して予め設定された前記第２の役割に関連する第２タスク群のオプションのリストを示す第２ページを前記ワークステーション上に表示するステップであって、前記第１ページは前記第２ページと異なる、前記表示するステップと、
が実行され、
前記第１ページは、前記第１ユーザが従うべき第１ワークフローを有し、
前記第２ページは、前記第２ユーザが従うべき第２ワークフローを有し、
前記第１ワークフローは前記第２ワークフローと異なり、
患者及び処置に関する情報が欠落している場合、欠陥の程度を視覚的に警告する、コンピュータ可読媒体。
【請求項２】
前記システムは、心臓血管画像情報管理システムを有する、請求項１記載のコンピュータ可読媒体。
【請求項３】
前記ユーザの第１クラス又は第２クラスは、医師、担当エリア看護士、臨床技師、スケジューラ、情報技術者、システムアドミニストレータ、部門アドミニストレータ、登録看護士及びチーフエグゼクティブの少なくとも１つを含む、請求項１記載のコンピュータ可読媒体。
【請求項４】
前記第１タスク又は第２タスクは、スケジューリング、レポート作成、統計、不具合検査ツール、患者ロケータ／検索ツール、登録／リサーチデータポイント、システム状態監視及び監査ログの少なくとも１つを含む、請求項１記載のコンピュータ可読媒体。
【請求項５】
前記第１及び第２ページは、前記第１及び第２タスク群に関連する各オプションを前記第１及び第２ユーザがそれぞれ指定できるよう構成される、請求項１記載のコンピュータ可読媒体。
【請求項６】
前記第１ページに表示されるオプションの何れかが前記第１ユーザにより選択されることに応答して、前記選択されたオプションに対応するサブルーチンが実行される、請求項１記載のコンピュータ可読媒体。
【請求項７】
請求項１乃至６何れか一項記載のコンピュータ可読媒体に格納されるユーザ中心アプリケーションソフトウェアルーチンを実行するシステム。
【発明の詳細な説明】
【発明の詳細な説明】
【０００１】
［関連出願の相互参照］
本出願は、その譲受人に譲受され、その開示がここに含まれるＪｏｈｎ  Ｆ．Ｅｌｓｈｏｌｚにより２００５年７月１９日に出願された同時係属中の出願第６０／７００，４３４号“Ｍｅｃｈａｎｉｓｍ  Ｆｏｒ  Ｖｅｒｉｆｙｉｎｇ  Ａｎｄ  Ｄｏｃｕｍｅｎｔｉｎｇ  Ｎｅｃｅｓｓｉｔｙ  Ｏｆ  Ｐｅｒｆｏｒｍｉｎｇ  Ｍｅｄｉｃａｌ  Ｐｒｏｃｅｄｕｒｅ  Ａｎｄ  Ｕｓｅｒ−Ｂａｓｅｄ  Ｔｏｏｌ  Ｆｏｒ  Ｓｅｌｅｃｔｉｖｅｌｙ  Ｎａｖｉｇａｔｉｎｇ  Ｔｈｒｏｕｇｈ  Ｍｅｄｉｃａｌ  Ｉｎｆｏｒｍａｔｉｏｎ  Ｄａｔａｂａｓｅ”の利益を主張する。
［発明の分野］
本発明は、一般にデータ格納抽出システム及びそのためのユーザインタフェースに関し、より詳細には、ログオンしたシステムユーザが心臓血管画像情報管理システムなどの医療情報管理システムの１以上のデータドメインであって、具体的には各機能及びユーザの責任に関するデータドメインを迅速にナビゲート及びアクセスすることを可能にする内容に応じたユーザ中心の方法に関する。
［発明の背景］
心臓関連の処置などの各処置を実行する病院などの現在の医療施設は、病院の運営及びそれが処置する患者に関するすべての情報が維持される集中化された情報格納管理システムを利用している。この全体的な情報格納管理システムの内部には、すべての心臓疾患患者、処置、診断などに関する情報が格納され、権限のあるスタッフにより選択的に抽出可能な心臓血管画像情報管理システムなどの特定分野に関する情報管理システムが含まれているかもしれない。これまで、上記システムにおいて実行されるアプリケーションは、通常は“患者”中心主義と呼ばれるものに基づき構成されてきた。また、ユーザが所与のアプリケーションにログオンすると常に、ユーザのワークステーションはまず患者センサス（ｐａｔｉｅｎｔ  ｃｅｎｓｕｓ）を表示し、アプリケーションのＧＵＩ（Ｇｒａｐｈｉｃ  Ｕｓｅｒ  Ｉｎｔｅｒｆａｃｅ）の各種機能ボタン及びアイコンを操作することにより、ユーザは所望する情報が抽出及び表示可能なターゲットデータベースに到達するため、患者リストを検索するかもしれない。
【０００２】
このような患者中心のデータ抽出処理の基本的な問題点は、それが通常はユーザが検索しているものと全く関係しないドメインをナビゲートする必要があるということである。システムの各ユーザは、特定の職務及び機能が割り当てられた者であり、ユーザはこれらの職務及び機能に関するワークフロー情報にのみ関心がある。例えば、システム管理者は、臨床報告を仕上げることについては関心がなく、登録看護士は在庫や患者のスケジューリングには関心がない。すなわち、所与のユーザはシステムの複数のドメインにアクセスするできる必要があるかもしれないが、各ユーザ及びすべてのユーザが、自分の特定の機能を実行するため、患者センサスなどのすべてのドメインにアクセスできる必要はなく、またそうであることが便利であるとも限らない。
［発明の概要］
本発明によると、限定されるものではないが上述された患者中心データナビゲーション及びアクセススキームの問題点が、ユーザの特定の役割又は機能に基づき、非限定的な具体例としての心臓血管画像情報管理システムなどの医療情報格納抽出システムの１以上のデータベースドメインにおけるナビゲーションを制御し、それらへのアクセスを提供する新規かつ改良された内容に応じたユーザ中心のデータベースナビゲーション方法によって効果的に解消される。患者中心でなくユーザ中心であるということは、本発明の方法が、ユーザの医療職務の事前の知識を有することを意味し、これにより、ユーザが所与のアプリケーションにログオンすると、医療従事者の責任エリアに具体的に関係するワークフローホームページが自動的にオープンされる。ユーザに表示される情報は、ユーザのワークフローに特有のオプションの内容リストから構成される。これは、ログオンしたシステムのユーザが当該ユーザの責任及び機能に具体的に関連する１以上のデータドメインを迅速にナビゲート及びアクセスすることを可能にし、これにより、ユーザのキーストローク及び時間を節約させるため、ユーザの効率性を向上させ、タスクを完了するための時間を短縮し、アプリケーションの正しい位置への外部のエリアをナビゲートしようとするフラストレーションを効果的に解消する。実際、多くの事例において、所与のユーザに割り当てられるタスクは、患者センサスに全く依存しないかもしれない。記載されるように、システムアドミニストレータは、ユーザがまず新規ユーザとしてシステムに入力されたとき、ユーザの役割及びパーミッションを指定する。また、システムアドミニストレータは、必要に応じてユーザがアプリケーションのさらなるエリアにナビゲートすることを可能にするファンクションをユーザの役割に追加するかもしれない。
【０００３】
本発明のユーザ中心情報管理システムのナビゲーション及びアクセスルーチンにアクセス可能なワークステーションが、当該ワークステーションとＨＩＳ（Ｈｏｓｉｐｉｔａｌ  Ｉｎｆｏｒｍａｔｉｏｎ  Ｓｙｓｔｅｍ）との間の通信を提供し、患者に関する情報（診療履歴、人口統計、保険情報、指定された身体的症状など）が、患者が医療評価及び処置のため医療施設に最初にチェックインしたときに病院受付スタッフにより取得されるコンピュータネットワークである。ＨＩＳにアクセスすることによって、本発明のユーザ中心情報管理システムのナビゲーション及びアクセスルーチンは、すべての患者に係る現在利用可能な情報と実行された診断又は処置をユーザに容易に提供することを可能にする。
【０００４】
ＨＩＳと接続されたリンクを設けることに加えて、コンピュータネットワークは、診断及びテスト装置と通信し、それを介して、患者の症状パラメータ情報と、処置をスケジューリングする必要性を示す診断情報とが取得されるかもしれない。同様に、診断が完了し、処置がスケジューリングされると、当該処置のタイプ、処置を行う医師及び参加スタッフ、処置日、当該処置が実行される患者の名前などを含む処置に関するすべての情報が情報システムに記録及び格納される。
【０００５】
本記載の例示的な適用事例を各種医療施設のファンクションに提供するため、本記載は、本発明のユーザ中心方法が、医療責任が違い異なる特定された複数のタイプのユーザが、心臓血管画像情報管理システムの１以上のデータドメインをナビゲートすることを可能にすることを効率化する方法に関する。しかしながら、本発明が心臓血管分野へのそれの適用に関して説明されるが、それは、限定されることなく放射線学、腫瘍学、整形外科などの他の専門分野に適用可能であることは理解されるべきである。
【０００６】
関連するユーザ中心ファンクションが説明される各タイプのユーザは、限定されることなく、病院の医師、担当エリア看護士、臨床技師（ラボ技術者）、スケジューラ、情報技術者若しくはチーフ情報オフィサ、システムアドミニストレータ、部門アドミニストレータ、登録看護士及びチーフエグゼクティブを含む。各ユーザにより一般に実行可能な基本的ファンクションは、限定されることなく、スケジューリングレポート作成（医療、管理、会計）、統計（料金キャプチャ、疾病率／死亡率レポート、部門供給利用性など）、不具合検査ツール、患者ロケータ／検索ツール、登録／リサーチデータポイント、システム状態監視及び監査ログを含む。各ユーザクラスのそれぞれにより実行される具体的ファンクションは、当該ユーザのワークフロー図の記載において詳述される。特定のファンクションが呼び出されると、ユーザは所与のタスクを完了するのに要求する情報を有するデータベースの迅速なナビゲーションを可能にする１以上の関連する画面を介し誘導される。
【０００７】
ユーザがシステムにログインすると、ログオン画面の１以上のボタンの操作を介して、当該ユーザクラスに係るサブルーチンが、ユーザのワークステーションに当該ユーザのワークフローホームページを自動表示させる。システムアドミニストレータは、ユーザが最初に新規ユーザとしてシステムに入力されたとき、ユーザの役割及びパーミッションを指定する。このログインしたユーザの事前の役割又はクラスは、特定のユーザクラスの役割又はファンクション、自分の責任の下でユーザが実行するタスク並びに当該ユーザの各ニーズに関するアプリケーションの特徴及び機能を有する当該ユーザの適切なワークフローホームページを自動表示するのに利用される。
［詳細な説明］
必ずしも限定されないが、心臓血管画像情報管理システムなどの医療情報管理システムのデータドメインをナビゲート及びアクセスするための本発明のユーザ中心ベースの方法を説明する前に、本発明が、ソフトウェアの各種サブルーチンの実行結果がシステムのユーザに表示されることによって、ソフトウェアが制御される関連するグラフィックユーザインタフェースと共に、従来のコンピュータ（ラップトップ、デスクトップ、サーバなど）にロード及び実行される内容に応じたユーザワークフロー及びデータベース検索抽出ソフトウェアセットに主に関することが観察されるべきである。このため大部分において、システムの構成と、病院情報システム（ＨＩＳ）などの従来の医療サービスプロバイダデータ格納処理システム及び患者に関する症状パラメータ情報を検査及び収集するため医療施設により使用される装置とシステムがインタフェースをとる方法とが、容易に理解可能な機能ブロック図とユーザ機能に関するメニュー及びユーザワークフロー図を表示するユーザインタフェース表示画面とによって図示された。それらは、ここでの記載の効果を有する当業者に容易に明らかとなる詳細によって本開示を不明りょうにしないように、本発明の方法に関する特定の特徴のみを示している。従って、ブロック図と関連するグラフィックユーザインタフェース及びユーザワークフロー図とは、主として便利な機能グループ化により本発明の好適な実施例の要部を示すことを意図し、これにより、本発明がより容易に理解可能となるかもしれない。
【０００８】
さらに、本発明の方法は医療サービス施設の情報管理システムの１以上のデータベースドメインに格納されている広範な情報を迅速にナビゲート及び抽出することに適用可能であり、それの範囲を限定することを意図していないことが理解されるべきである。非限定的で例示的なそれの使用例を提供するため、以下の記載は互いに異なる機能及び職務を有する複数のユーザによる心臓血管画像情報管理システム内に格納されている情報のナビゲート及び抽出への本発明の適用に関するものであり、このため、各自に割り当てられたタスクを実行する過程において、情報管理システムの各ワークフロー関連ドメインへのアクセスを必要とする。上述されるように、本発明は心臓関連画像情報管理システムへの適用に関して説明されるが、それが限定されるものではないが、放射線学、腫瘍学、整形外科などの他の専門領域に適用可能であるということが理解されるべきである。
【０００９】
まず、本発明が利用可能な医療プロバイダ（病院など）の施設に設置可能なコンピュータネットワークの簡単なブロック図を示す図１が参照される。ここに図示されるように、サービスプロバイダコンピュータネットワークは、本発明のユーザ中心データベースナビゲーション及びデータ抽出ソフトウェアがインストールされ、それらを介して医療施設スタッフがネットワークへのアクセスを必要とする所定の職務及び責任に関連して、必要に応じてグラフィックユーザインタフェースの各表示ウィンドウをナビゲートし、データを抽出することが可能なデスクトップコンピュータ又はワークステーション１０を有する。
【００１０】
ワークステーション１０がインストールされたコンピュータネットワークは、ワークステーションと病院情報システム（ＨＩＳ）２０との間のリンクを有する。当該システム２０では、患者が医療診断及び処置のための医療施設にまずチェックインすると、患者関連情報（病歴、人口統計、保険情報、指定された身体的症状（押されるような胸の痛み、めまい、失神、胸の動悸など）が病院受付スタッフにより抽出される。ＨＩＳ２０にアクセス可能とすることによって、本発明のユーザ中心情報管理システムのナビゲーション及びアクセスルーチンが、すべての患者及び実行された診断又は処置に係る現在利用可能な情報をユーザに提供することが容易に可能となる。
【００１１】
ＨＩＳ２０に接続されたリンクを設けることに加えて、コンピュータネットワークは、診断検査装置３０とのリンク１２を有する。当該装置３０を介し、患者の症状パラメータ情報と処置をスケジュールする必要を示す診断情報とが取得可能となる。同様に、診断が終了し、処置がスケジュールされると、処置のタイプ、担当医及び担当スタッフ、処置日、処置が実行される患者の氏名などを含む処置に関する関連情報がＨＩＳに記録及び格納される。
【００１２】
上述されるように、本記載の広範な各種医療施設機能への適用の非限定的で例示的な具体例を提供するため、本記載は、本発明のユーザ中心データベースナビゲーション方法が心臓血管画像情報管理システムの１以上のドメインを、互いに異なる医療責任を有する具体的に指定されたタイプの複数のユーザがナビゲートする機能を効率化する方法を提供する。このため、例示的な具体例として、図２は、システムのユーザの９つのクラスと、各人のジョブ機能の一部の各ユーザに対するリストとを図解的に示す。これらのユーザは、医師２０１、担当エリア看護士２０２、臨床技師（技術者）２０３、スケジューラ２０４、情報技術者又はチーフ情報事務員２０５、システム管理者２０６、部門管理者２０７、登録看護士２０８及び病院の上級役員（ＣＸＯ）２０９を含む。
【００１３】
また図２において、ユーザ２０１〜２０９のそれぞれにより一般的に実行可能な基本機能群をリストした機能ブロック２１０が示される。これらは、スケジューリング、レポート作成（医療、管理、経理）、統計（電荷捕獲、Ｍ／Ｍ部門（上記説明を参照されたい））、壊れた研究ツール、患者ロケータ／検索ツール、レジストリ／リサーチデータポイント、システムステータス監視、及び監査記録を含む。図２において各ユーザ２０１〜２０９についてリストされた具体的な機能は、図４及び６〜１３に示されるユーザのワークフロー図の説明がされるときに参照されるであろう。図２はさらに、本発明がユーザ中心的であるという事実により、ユーザがシステムにログオンすると、ユーザログインブロック２１１からユーザブロック２０１〜２０９への各矢印により表されるように、ユーザ２０１〜２０９の１人についてリストされた機能を自動的に呼び出し表示するよう動作することを示している。
【００１４】
図２のユーザログインブロック２１１は、より詳細には、ユーザワークステーション上にログオン画面により表示される各コンポーネントを示す図３のグラフィックユーザインタフェースに示される。図３のログオン画面は、ログインボタン３０１、イグジットボタン３０２、従来のユーザ名フィールド３０３及びパスワードフィールド３０４を有するよう示される。上述されるように、システム管理者は、ユーザがまず新規ユーザとしてシステムに入力されたとき、ユーザの役割及び許可を指定している。後述されるように、ログオンユーザの既知の役割がユーザに適切なワークフロー表示ホームページ画面を自動表示するのに使用される。
【００１５】
図４は、システムにログインしたユーザが、後述されるように図２のブロック２０１にリストされたものを含む機能を有する医師／心臓内科医（４０１により図示）である場合に、ワークステーションの表示画面に表示され、図４の機能ブロック４０２において繰り替えされるホームページを示す。図４のワークフロー図は、以降に説明されるものと共に、特定タイプのユーザの役割又は機能、当該ユーザが自らの職務の遂行において実行するタスク、並びに当該ユーザの各ニーズに関するアプリケーションの特徴及び機能を図解的に示す。図４は、インターベンショナル（ｉｎｔｅｒｖｅｎｔｉｏｎａｌ）心臓内科医及び非インターベンショナル心臓内科医の両方に共通なワークフロー図を有する。
【００１６】
非インターベンショナル心臓内科医は、心エコー研究、核医学研究、非侵襲的末梢血管検査、並びにＥＫＧ及びホルター検査を読み取る医師を含む。このタイプの医師は、しばしば机に座って、ワークリストを使用して日中の自らの効率を最大化する。すなわち、非インターベンショナル心臓内科医は、コンピュータワークステーションのところに座って、常駐する技師又はインターンにより準備された検査レポートを読み取り／解釈することを予想することができる。他方、インターベンショナル医師は、ワークリストにより動くことはないが、１つの処置から次の処置に移行し、次のケースの開始前に迅速に処置レポートを完成する必要がある。これらの相違にも関わらず、上記２つのタイプの医師は図４に示されるような個別のルーチン又は機能における共通性を有している。これらのタスクは、スケジューリング４１１、読み取りされていない検査４１２、検査の注釈及び確定、パンじゃ検索４１４、統計の確認４１５、フォルダのコンテンツ（パーソナル及びパブリック）の確認４１６及びＶＯＭＮ（Ｖｅｒｉｆｉｃａｔｉｏｎ  Ｏｆ  Ｍｅｄｉｃａｌ  Ｎｅｃｅｓｓｉｔｙ）４１７を含む。
【００１７】
スケジュールファンクション４１１を呼び出すことによって、医師は４２１に示されるように、スケジュールを閲覧し、又はスケジュールアイテムを選択するかもしれない。スケジュールファンクション４２１から、医師は、４３１に示されるように、表示された患者名上での１回のクリックを介し、又は４３２に示されるように、検査ホームページをオープンするためダブルクリックを介し患者履歴を表示する画面を呼び出すかもしれない。読み取りされていない検査ファンクション４１２の呼び出しは、４２２に示されるように、読み取りされていない検査リストを自動表示し、医師は表示されたリストから選択するかもしれない。再び、医師は状態４３１又は４３２への適切なシングルクリック又はダブルクリックを実行するかもしれない。検査注釈及び確定ファンクション４１３を呼び出すことによって、医師は４２３に示されるように、選択のため検査を自動表示し、そこから医師は状態４３１又は４３２への選択的なシングル又はダブルクリックを実行するかもしれない。患者検索ファンクションを呼び出しことによって、４２３に示されるように、医師が検索のため選択可能な患者リスト及び表示された検索基準が医師に提供される。再び、医師は状態４３１又は４３２への適切なシングル又はダブルクリックを実行するかもしれない。
【００１８】
４１５に示される統計ファンクションについて、ワークフローは、４２５に示されるように、統計画面に移行し、現在ログオンしている医師について結果をフィルタリングし、状態４３５に示されるように、医師が格納されているレポートアレイから選択し、又はビルダーをクエリすることを可能にする。４１６におけるフォルダファンクションについて、ワークフローは４２６において選択されたフォルダをオープンし、医師が患者フォルダを閲覧し、又は状態４３６に示されるように、新たな検査をフォルダにドラッグ及びドロップすることを可能にする。
【００１９】
４１７に示される最後にリストされたファンクションであるＶＯＭＮは、監査ファイル、患者及び診療情報においてユーザが容易にキャプチャ及びアーカイブすることを可能にし、所与の医療処置を実行する医療の必要性についてＣＭＳ（Ｃｅｎｔｅｒ  ｆｏｒ  Ｍｅｄｉｃａｒｅ／Ｍｅｄｉｃａｉｄ  Ｓｅｒｖｉｃｅｓ）により公表されたガイドラインに従って検証するのに効果的な自動化されたソフトウェアルーチンに関するものであり、これにより、医療サービス提供者及び医師が処置を実行するコストに対して適切に補償され、それの施設及び関連する医療スタッフ（医師）のＣＭＳ監査を容易にパスすることが可能となることが保証される。このようなルーチンは、好ましくは、本出願の譲受人に譲受され、その開示がここに含まれる同日出願の同時係属中のＪｏｈｎ  Ｆ．Ｅｌｓｈｏｌｚによる米国特許出願“Ａｕｔｏｍａｔｅｄ  Ｓｙｓｔｅｍ  Ｆｏｒ  Ｃａｐｔｕｒｉｎｇ  Ａｎｄ  Ａｒｃｈｉｖｉｎｇ  Ｉｎｆｏｒｍａｔｉｏｎ  Ｔｏ  Ｖｅｒｉｆｙ  Ｍｅｄｉｃａｌ  Ｎｅｃｅｓｓｉｔｙ  Ｏｆ  Ｐｅｒｆｏｒｍｉｎｇ  Ｍｅｄｉｃａｌ  Ｐｒｏｃｅｄｕｒｅ”に記載されるタイプのものである。
【００２０】
簡単には、上記出願に記載される発明に従って、患者及び処置に関する情報の編集が、医療必須要件を充足するため監査ファイルが１以上の情報を欠落していることを示す場合、本発明のシステムは、医療スタッフに欠陥の程度を視覚的に警告し、具体的には欠落しているものをタグ付けする。これは、監査ファイルが欠落している何れの情報も完全に記載されるように、システムユーザが要求される情報を含む利用可能なリソースの検索を開始するためユーザインタフェースの１以上のオブジェクトを起動し、又は情報をシステムに手動により入力することを可能にする。監査ファイルがＣＭＳ要件に従うと、システムは、ワークステーション表示画面の色づけされた（緑色など）警告指標によって、医療スタッフに当該事実を警告する。
【００２１】
ＶＯＭＮファンクション４１７が呼び出されると、ワークフローは、図５Ｃに例示されるようなＶＯＭＮ画面に移行し、医師が自らの患者データを閲覧し、又は欠落したデータを有する患者を閲覧することができるように、４２７に示されるように、現在ログオンしているユーザに対して結果をフィルタリングする。この結果、ＶＯＭＮルーチンの機能に従って何れの欠落したデータもアクセス及び格納可能となり、４３７に示されるように、ＶＯＭＮデータをＣＤなどの補助ストレージにエクスポート又は保存することが可能となる。
【００２２】
図５は、図４の医師のホームページ画面のワークフロー図の１以上のファンクションを医師がナビゲートする過程において、医師のワークステーション上に表示可能な医師のログオン画面の一例を示す。図５に示されるように、読み取りされていない検査５０１について、５０２において医師により選択された患者がハイライトされており、これにより、医師は現在進行しているケースを記録することが可能となる。また、“患者情報”フィールド５０３、“検査確定”フィールド５０４及び“ユーザメッセージ／実行予定”フィールド５０５が表示される。上述されるように、上記又は他の表示されるファンクションの何れもが、ログオン後の１回のマウスクリックにより医師によって容易に実行される。
【００２３】
図５Ａは、４１４において患者検索ファンクションを呼び出したときに生成されるような患者検索情報を表示する画面の一例を示し、図５Ｂは、確定された検索の結果を保存する過程において生成されるエクスポート検査情報を表示する画面の一例を示す。
【００２４】
図６は、システムにログインしたユーザが担当エリア看護士（６０１に図示される）であるワークステーションの表示画面によって表示されるホームページを示す。それの機能は、上述されるように図２のブロック２０２にリストされ、図６のファンクションブロック６０２に繰り返される機能を含む。担当エリア看護士は、担当エリアにおける処置について準備されるカテーテル（ｃａｔｈ）、エコー、電気生理学（ＥＰ）、末梢血管（ＰＶ）及び核医療ラボの患者に関係する。これは、患者が受付、剃髪、準備及び鎮痛処理され、ＩＶが処置前に挿入され、動脈止血が処置後に行われるｃａｔｈ及びＥＰラボについて成り立つ。担当エリア看護士は、患者の方針を策定し、Ａｌｄｒｅｔｅ又はＡＳＡスコアについて患者を評価し、多数の状態法則の管理の下で患者の意識の鎮静を報告する必要がある。図６に示されるように、担当エリア看護士により実行されるかもしれないファンクションは、スケジューリング６１１、患者の処置前の方針策定６１２、患者の処置中の方針策定６１３、患者の処置後の方針策定６１４、不完全なレジストリフィールド６１５の有無の確認６１５、投薬計算６１６、患者検索６１７及びメッセージ処理６１８を含む。
【００２５】
スケジューリングファンクション６１１が呼び出されると、ログインした担当エリア看護士について作業エリア／部門によってグループ化される現在のスケジュールが呼び出され、６２１に示されるように、担当エリア看護士のワークステーションの表示画面に表示される。処置前患者ファンクション６１２の呼び出しは、６２２に示されるように、処置を待機するすべての監視及びスケジュールされた患者のリストを表示する。リストの特定の患者をクリックすることによって、６３２に示されるように、担当エリア看護士は方針策定を開始するため患者の検査フォルダを開くかもしれない。処置中患者ファンクション６１３の呼び出しは、６２３に示されるように、救急処置エリア（Ｃａｔｈ／ＥＰ／ＰＶ／Ｓｔｒｅｓｓラボ）にいる監視されるすべての患者のリストを表示する。処置後患者ファンクション６１４の呼び出しは、６２４に示されるように、監視されるすべての患者の処置後のリストを表示する。リストの特定の患者をクリックすることによって、６３４に示されるように、担当エリア看護士は方針策定を継続するため患者の検査フォルダを開くかもしれない。
【００２６】
不完全レジストリフィールドファンクション６１５が呼び出されると、６２５に示されるように、レジストリ基準を満たす処置後の患者に関する検査による欠落したレジストリフィールドのカウントが表示される。特定の検査をクリックすることによって、当該検査が開かれ、６３５に示されるように、欠落したデータフィールドが表示される。投薬計算ファンクション６１６の呼び出しは、６２６に示されるように、投薬計算手段を開く投薬計算ボタンをクリックすることによって実現される。患者検索ファンクション６１７の呼び出しは、６２７に示されるように、患者検索画面を開く。当該画面をクリックすることによって、その後に６３７に示されるような患者検索基準のためのウィンドウが表示される。任意的な最後のファンクションは、メッセージ処理ファンクション６１８である。使用される場合、呼び出しされると、それは６２８に示されるように、現在の電子メールカウントを表示する。その後、担当エリア看護士は、ウェブベースメールビューワを開くため、電子メールオープンボタンをクリックし、６３８に示されるように、ログイン秘密が自動的に供給される。
【００２７】
図７は、システムにログインしたユーザが臨床技師又はラボ技術者（７０１に図示される）であるワークステーションの表示画面によって表示されるワークフローホームページを示す。それのファンクションは、上述された図２のブロック２０３にリストされ、図７のファンクションブロック７０２において繰り返されるものを含む。心臓カテーテル処理、心エコー検査、電気生理検査、血管検査又は各医療検査中の処置の文書化の主要なタスクは、看護士と共に患者の方針策定作業に寄与するラボ技術者に所属する。医師は常に、それらの記載を確認し、所見、編集及び解釈を追加するが、ラボ技術者は不可欠かつ重要な文書かファンクションを実行する。
【００２８】
図７に示されるように、ラボ技術者により実行される可能性があるファンクションは、スケジューリング７１１、新規検査（入院時）７１２、患者検索７１３及びメッセージ処理７１４を含む。スケジューリングファンクション７１１が呼び出されると、ログオンしている臨床技師の作業エリア／部門／医師によりグループ化される現在のスケジュールが、７２１に示されるように、ラボ技術者のワークステーションに呼び出され、表示される。新規検査ボタンをクリックすることによって新規検査ファンクション７１２を呼び出すことにより、７２２に示されるように患者の人口統計検索ダイアログが開かれる。その後、ユーザは７３２に示されるように、検索キーを選択し、検索基準を提供し、表示されたリストから患者を選択するかもしれない。その後、ユーザは状態７４２に移行し、新規検査をスタートし、ＩＤ画面を開く。その後、７３３において当該ケースが文書化される。患者検索ファンクション７１３を呼び出すことにより、７２３に示されるような患者検索画面が開かれる。最後のファンクションは、任意的なメッセージ処理ファンクション７１４である。含まれている場合、呼び出しされると、それは７１５に示されるように現在の電子メールカウントを表示する。その後、ラボ技術者は、電子メールオープンボタンをクリックし、ウェブベースメールビューワを開く、７１６に示されるようにログイン秘密が自動的に提供される。
【００２９】
図８は、システムにログインしたユーザがスケジューラ（８０１に図示される）であるワークステーションの表示画面によって表示されるワークフローホームページを示す。それのファンクションは、上述された図２のブロック２０４にリストされ、図８のファンクションブロック８０２に繰り返されるものを含む。何れかの処置によるエントリの第１ポイントは、システムにそれをスケジューリングさせることである。スケジューラは、病院、ユニット又は医師のオフィスなどの遠隔設定に設けられてもよい。リモートアクセスを可能にするため、本発明のユーザ中心方法はウェブベース通信を利用し、これにより、医師のオフィスの看護士がリモートログインし、スケジュールのオープンを検出し、当該ケースについて医師及び患者をスケジューリングすることが可能となる。このため、図８に示されるように、スケジューラにより実行可能なファンクションは、スケジュールの閲覧８１１、新規の患者処置のスケジューリング８１２、医師にスケジュールを確認させること８１３、スタッフのスケジューリング８１４及びリソーススケジューリング８１５を含む。
【００３０】
閲覧スケジュールファンクション８１１が呼び出されると、ログオンしたスケジューラの作業エリア／部門／医師によりグループ化された現在のスケジュールが呼び出され、８２１に示されるように、スケジューラのワークステーションに表示される。新規の患者処置をスケジューリングするため（ファンクション８１２）、スケジューラは、表示されたファンクションをクリックし、新規のイベントツールをオープンする。スケジューラが医師の雇い主である場合、スケジュールにおける利用可能なタイムスロットは、８２２に示されるように、所定のルールエンジンに従ってフィルタリングされる。患者のアイデンティティは、入力検索基準に基づき患者リストから特定され、患者がリストにおいて検出される場合には、ワークフローは患者検出済みの状態８３２に移行する。患者が患者リストに検出されない場合、新たなレコードが状態８３６において生成され、患者の人口統計データが、状態８３７においてＨＩＳデータベースを更新するため、ＨＩＳ（Ｈｏｓｐｉｔａｌ  Ｉｎｆｏｒｍａｔｉｏｎ  Ｓｙｓｔｅｍ）に転送される。状態８３２又は８３６から患者のアイデンティティが与えられると、８３８において新たなスケジューリングされたイベントが生成され、８３９において処置に対する指示がＨＩＳに送信される。さらに、処置要件を備えた医師の選好が、８４６において表示される。これは、８４７において医師の選好から必須条件のテストの促しを生成する。さらに、スケジューラは、８４８において保険適用性を検証し、又はＡｄｖａｎｃｅ  Ｂｅｎｅｆｉｃｉａｒｙ  Ｎｏｔｉｃｅを記載するよう指示され、これにより、患者は当該処置の支払をするための金融取引をアレンジすることが可能となる。
【００３１】
医師の読み取りスケジュールファンクション８１３が呼び出されると、８２３に示されるように、各モダリティのその日の読み手によるカレンダーがオンクリックにより表示される。読み手のスケジュールは、８３３においてワークステーションのマウスを使用して、表示されたリストから医師をドラッグ及びドロップすることによって変更されるかもしれない。また状態８４３において、読み手のルールが入力インタフェースに提供され、検査がモダリティによってその日までに正しい読み手のワークリストに送信される。スタッフスケジューリングファンクション８１４が呼び出されると、ユーザは状態８２４に示されるように、特定のスタッフを特定の検査にドラッグ及びドロップし、又はスタッフを特定の部屋に割り当てるかもしれない。その後、ユーザは、８３４に示されるように、特殊な機器が必要とされるか確認するため、特定の検査をクリックするかもしれない。特殊な機器が必要とされる場合、ユーザはそのような要求を示すため、視覚的なプロンプトを提供するためのアイコンを呼び出す。リソーススケジューリングについて（ファンクション８１５）、スケジューラは、８１６に示されるように、リソース（特殊な機器など）を特定の検査にドラッグ及びドロップするかもしれない。その後、ユーザは、８３５に示されるように、特殊な機器が必要とされるか確認するため、特定の検査をクリックし、必要とされる場合には、ユーザはそのような要求を示すための視覚的プロンプトを提供するためのアイコンを呼び出す。
【００３２】
図９は、ワークステーションの表示画面により表示されるＩＴログオン画面を示し、図９Ａは関連するワークフローを示す。システムにログインしたユーザは情報技術者（ＩＴ）又はＣＩＯであり（９０１に図示される）、そのファンクションは、上述した図２のブロック２０５にリストされ、図９Ａのファンクションブロック９０２に繰り返されるものを含む。システムをサポート及び維持する負担は情報技術者に属し、最終的には、すべてのシステムの互換性に対する最終的な責任を有するＣＩＯに属する。図９及び９Ａのファンクションは、システムをサポート及び監視するＩＴスタッフの必要性を具体的に解決する診断及びモニタリングツールを含む。
【００３３】
より詳細には、ＩＴ／ＣＩＯにより実行可能なファンクションは、システム状態チェック９１１、レポート９１２、不具合検査マネージャ９１３、統計９１４、メンテナンス及び保証情報９１５、システム履歴９１６、ツール９１７、監査／エラーログ９１８、実行中のアップグレード及びインタフェーステスト９１９及びメッセージ処理９２０を含む。システム状態ファンクション９１１を呼び出すことにより、９２１に示されるように、サーバフリースペース、バックアップ状態、アーカイブ状態、フリースペース、ログインしたユーザなどを含むパラメータを有するシステムヘルスの概略が呼び出され、表示される。その後、ユーザは統計画面をクリックし、システム統計を表示し、又は９３１に示されるように、統計レポートを生成するかもしれない。
【００３４】
レポートファンクション９１２はアドホッククエリツールをオープンし、９２２に示されるように、システムレベルの表示がセレクタ（標準及びカスタム）を通知する。不具合検査マネージャ９１３のファンクションが呼び出されると、不具合検査のカウントが、９２３に示されるように、モダリティに従って表示される。クリックを介し、９３３に示されるように、不具合検査マネージャが表示されるかもしれない。統計ファンクション９１４が呼び出されると、統計画面が９２４に示されるように、呼び出され、表示される。メンテナンス及び保証情報ファンクション９１５が呼び出されると、９２５に示されるように、現在の保証状態及びアップグレード、パッチ、新たなリリースなどの利用可能性が表示される。
【００３５】
システム履歴ファンクション９１６が呼び出されると、９２６に示されるように、システム履歴が表示され、アイテムがオープンされる。ツールファンクション９１７がクリックされると、９２７に示されるように、システム診断ツールのリストが提供される。監査／エラーログファンクション９１８が呼び出されると、９２８に示されるように、すべてのエラー及び検索ツールとのリンクと共に、直近の１０個のシステムエラーが表示される。実行中のアップグレード及びインタフェーステストファンクション９１９の呼び出しは、９２９に示されるように、アップグレード及びインタフェーステストのテストシステムがアクセスされる。使用される場合、任意的なメッセージ処理ファンクション９２０の呼び出しは、９３０に示されるように、現在の電子メールカウントを表示する。その後、ＩＴ／ＣＩＯは、電子メールオープンボタンをクリックし、これにより、ウェブベースメールビューワがオープンされ、９４０に示されるように、ログイン秘密が自動的に提供される。
【００３６】
図１０は、ワークステーションの表示画面により表示されるログオン画面を示し、図１０Ａは関連するワークフローを示す。ここで、システムにログインしたユーザはシステムアドミニストレータ（１００１に図示される）であり、それのファンクションは、上述された図２のブロック２０６にリストされ、図１０のファンクションブロック１００２に繰り返されるものを含む。システムアドミニストレータは、ユーザパーミッション及びセキュリティを制御し、カスタムレポートを生成し、不具合検査を決定し、トレーナーのトレーニングなどのさらなるタスクを実行する。システムアドミニストレータにより実行可能なファンクションは、システム状態チェック１０１１、ユーザの追加／削除／編集１０１２、レポート１０１３、不具合検査マネージャ１０１４、統計１０１５、トレーニングの実行１０１６、スケジュールの閲覧１０１７、患者検索１０１８、メニュー／テキスト／レポートエディタ１０１９及びメッセージ処理１０２０を含む。
【００３７】
システム状態ファンクション１０１１を呼び出すことにより、１０２１に示されるように、サーバフリースペース、バックアップ状態、アーカイブ状態、フリースペース、ログインしたユーザなどを含むパラメータを有するシステムヘルスの概略が呼び出され、表示される。その後、ユーザは、１０３１に示されるように、統計画面をクリックし、システム統計を表示するかもしれない。システムのユーザを追加、削除又は編集するため（ファンクション１０１２）、システムアドミニストレータは、１０２２に示されるように、ユーザエディタユーティリティを開く。
【００３８】
レポートファンクション１０１３は、１０２３に示されるように、アドホッククエリツールをオープンし、システムレベルの表示はセレクタ（標準及びカスタム）を通知する。不具合検査マネージャ１０１４のファンクションが呼び出されると、１０２４に示されるように、不具合検査のカウントがモダリティに従って表示される。クリックを介して、１０３４に示されるように、不具合検査マネージャが表示されるかもしれない。統計ファンクション１０１５が呼び出されると、１０２５に示されるように、統計画面が呼び出され、表示される。トレーニングを実行するため（ファンクション１０１６）、システムアドミニストレータは、１０２６に示されるように、トレーニングセッションのテストシステムデータベースをオープンする。
【００３９】
スケジュール閲覧ファンクション１０１７が呼び出されると、ログオンしたシステムアドミニストレータについて作業エリア／部門によりグループ化される現在のスケジュールが、１０２７に示されるように、システムアドミニストレータのワークステーション上に呼び出され、表示される。特定の患者の検索を実行するため（ファンクション１０１８）、システムアドミニストレータは、１０２８に示されるように、患者検索画面をクリックし、オープンする。メニュー／テキスト／レポートエディタファンクション１０１９が、１０２９において画面エディタをオープンすることによって呼び出され、状態１０３９においてモダリティが選択される。状態１０４９において、システムアドミニストレータは選択されたモダリティのエディタ選択を閲覧する。その後、システムアドミニストレータは、編集対象となるセクションを選択する。使用される場合、任意的なメッセージ処理ファンクション１０２０を呼び出すことにより、１０３０に示されるように、現在の電子メールカウントが表示される。その後、システムアドミニストレータは電子メールオープンボタンをクリックし、ウェブベースメールビューワがオープンされ、１０４０に示されるように、ログイン秘密が自動的に提供される。
【００４０】
図１１は、ワークステーションの表示画面により表示されるログオン画面を示す。システムにログインしたユーザは、部門アドミニストレータであり（１１０１に図示される）、それのファンクションは、上述された図２のブロック２０７にリストされ、図１１のファンクションブロック１１０２に繰り返されるものを含む。図１１Ａは、関連するワークフロー図を示す。ｃａｔｈラボ又は心臓内科部門のマネージャ又はディレクタは、当該ラボ又は部門の効率性及び収益性、すべての重要なシステムの信頼性、高価な在庫アイテムの管理及び医師を満足させ続けることに関心がある。部門アドミニストレータのファンクションは、システム状態１１１１、レポート状態１１１２、レポート１１１３、不具合検査マネージャ１１１４、統計１１１５、在庫管理１１１６、スケジュール閲覧１１１７、患者検索１１１８、メニュー／テキスト／レポートエディタ１１１９及びＶＯＭＮ閲覧１１２０を含む。
【００４１】
システム状態ファンクション１１１１を呼び出すことにより、１１２１に示されるように、サーバフリースペース、バックアップ状態、アーカイブ状態、フリースペース、ログインしたユーザなどを含むパラメータを有するシステムヘルスの概略が呼び出され、表示される。その後、ユーザは、１１３１に示されるように、統計画面をクリックし、システム統計を表示するかもしれない。レポート状態ファンクション１１１２が呼び出されると、承認されていない検査の個数が１１２２において医師により表示される。その後、状態１１３２においてオープンボタンをクリックすることにより、承認されていない検索のフィルタリングされたリストがオープンされる。レポートファンクション１１１３は、アドホッククエリツールをオープンし、１１２３に示されるように、システムレベルの表示がセレクタ（標準及びカスタム）を通知する。不具合検査マネージャ１１１４のファンクションが呼び出されると、１１２４に示されるように、不具合検査のカウントがモダリティに従って表示される。クリックを介して、１１３４に示されるように、不具合検査マネージャが表示されるかもしれない。統計ファンクション１１１５が呼び出されると、１１２５に示されるように、統計画面が呼び出され、表示される。
【００４２】
在庫管理ファンクション１１１６が呼び出されることにより、１１２６に示されるように、アドミニストレータの部門の在庫モジュールがオープンされる。スケジュール閲覧ファンクション１１１７が呼び出されると、１１２７に示されるように、当該部門の現在のスケジュールが部門アドミニストレータのワークステーションに呼び出され、表示される。特定の患者に対する検索を実行するため（ファンクション１１１８）、１１２８に示されるように、部門アドミニストレータは患者検索画面をクリック及びオープンする。メニュー／テキスト／レポートエディタファンクション１１１９が、画面エディタをオープンすることにより呼び出され、状態１１２９においてモダリティが選択される。状態１１３９において、ユーザ／部門アドミニストレータは、選択されたモダリティのエディタ選択を閲覧し、その後、部門アドミニストレータは編集対象となるセクションを選択する。メッセージ処理ファンクション１１２０を呼び出すことにより、１１３０に示されるように、現在の電子メールカウントが表示される。その後、部門アドミニストレータは、電子メールオープンボタンをクリックし、ウェブベースメールビューワがオープンされ、１１４０に示されるように、ログイン秘密が自動的に提供される。
【００４３】
図１２は、ワークステーションの表示画面により表示されるログオン画面を示す。システムにログインしたユーザは登録看護士であり（１２０１に図示される）、それのファンクションは、上述した図２のブロック２０８にリストされ、図１２のファンクションブロック１２０２に繰り返されるものを含む。図１２Ａは、図１２のログオン画面の画面フィールドの具体例の拡大図を示し、図１２Ｂは、図１２のログオン画面に係る登録看護士のワークフローを示す。州、地域又は国家登録に参加する病院は、手続レポートの必須の登録フィールドを完了させるため、看護士又は技術者を雇用する。それらはデータを抽出し、独特の登録指示に従ってそれをフォーマット化し、通常ベースにより送信する。このため、登録看護士により実行されるべきファンクションは、不完全なデータのレポートの特定１２１１、患者検索１２１２、抽出１２１３、登録への送信１２１４及びリサーチプロトコル１２１５を含む。
【００４４】
不完全なデータを有するレポートを特定するため（ファンクション１２１１）、不完全な検査のリストが１２２１において表示される。格納されているデータベースプロシージャが、当該データをそれが表示される通りに生成するのに利用される。患者検索を実行するため（ファンクション１２１２）、患者検索画面がオープンされ、１２２２に示されるように、登録患者のみに対してフィルタリングされる。これは、１２３２に示されるように、ＡＣＣ、ＳＴＳ、Ｓｔａｔｅ、ＩＣＡＥＬ、ＩＣＡＶＬ、ＩＣＡＮＬレジストリをサポートするよう機能する。抽出ファンクション１２１３を実行するため、１２２３に示されるように、抽出ルーチンが選択されたレジストリ上で実行され、その結果が表示される。これは、１２３３に示されるように、抽出した検査のリストに係る抽出メトリックを提供する。レジストリ送信ファンクション１２１４を呼び出すことにより、１２２４に示されるように、選択されたレジストリがレジストリ値に従ってデータ又はパッケージデータに供給される。リサーチプロトコルファンクション１２１５が、状態１２２５において格納されているプロトコルリストからプロトコルを選択することによって実行される。さらに、プロトコル基準が実行され、又は適合した患者が患者データベースから選択される。１２３５において、エディタは、新たなプロトコルを生成するため、又は既存のプロトコルを編集するためオープンされる。これは、１２４５に示されるように、新たな検査を開始し、ＩＤ画面をオープンするよう機能する。
【００４５】
図１３は、ワークステーションの表示画面により表示されるワークフロー図を示す。システムにログインしたユーザは、チーフエグゼクティブＣＸＯであり（１３０１に図示される）、それのファンクションは、上述した図２のブロック２０９にリストされ、図１３のファンクションブロック１３０２に繰り返されるものを含む。図１３Ａは、図１３のワークフロー図のファンクション１３１１を呼び出すことによって表示されるようなＣＸＯのＶＯＭＮ画面の一例を示す。チーフエグゼクティブは、ＣＥＯ、ＣＯＯ、ＣＦＯ、ＶＰ又はリスク管理オフィサであるかもしれない。自らのポジションの信託的な性質は、当該個人が自らの部門の利益／損失及び／又は病院が晒されている負債に関心があることを意味する。この結果、図１３のホームページ図にリストされる主要な２つのファンクションが存在する。それは、１）メトリックレポートにより測定される心臓内科部門のパフォーマンスと、２）医療必要性の検証をＣＸＯに要請し、失敗した医療監査に対する病院の脆弱性を低減するのに役立つ。
【００４６】
これらのファンクションは、図１３においてＶＯＭＮ閲覧ファンクション１３１１及びパフォーマンスメトリックレポートファンクション１３１２として特定される。ＶＯＭＮ閲覧ファンクション１３１１が呼び出されると、処置を実行した医師によりフィルタリングされるような検証されていない検査の現在のカウントが表示される。その後、ＣＸＯは、１３３１に示されるように、検証されていない検査のフィルタリングされたリストのオープンをクリックするかもしれない。上述されるように、患者及び処置に関する情報の編集が、医療要求要件を充足するため、１以上の情報をＶＯＭＮの監査ファイルが欠落していることを明らかにする場合、ＶＯＭＮルーチンは、システムユーザに欠落の程度を視覚的に警告し、具体的に何れが欠落しているかタグ付けする。これは、ユーザが要求された情報を含む利用可能なリソースの検索を開始するため、ユーザインタフェースの１以上のオブジェクトを起動することを可能にし、これにより、監査ファイルは何れの情報が欠落したとしても完全に充填されるかもしれない。監査ファイルがＣＭＳ要求に従うと、システムは当該事実を病院スタッフに警告する。ＣＸＯがパフォーマンスメトリックレポートファンクション１３１２を呼び出すとき、１３２２に示されるように、システムパフォーマンスメトリックの概略がグラフィカルフォーマットにより表示される（瞬時のアクセスを生成するための格納されている手順を利用して）。
【００４７】
上記記載から理解されるように、従来の患者中心データナビゲーション及びアクセススキームの問題点が、内容に応じた本発明のユーザ中心データベースナビゲーション及びアクセス方法によって効果的に解消され、ユーザの特定の役割又は機能に基づき医療情報格納抽出システム、特に心臓血管画像情報管理システムの１以上のデータベースドメインのナビゲーション及びアクセスが実現される。上述されたように、患者中心でなくユーザ中心の本発明のソフトウェアルーチンは、ログインすると、ユーザのワークフローに密接に関連したオプションの内容のリストを含むユーザの責任エリアに具体的に関係するホームページを当該ユーザに表示するよう動作する。これは、ユーザがユーザの責任及び機能に特に関連する１以上のデータドメインを迅速にナビゲート及びアクセスする可能性を実現し、これにより、ユーザの効率性を向上し、ユーザのキー入力及び時間を節約するため、タスクを完了させる時間を低減し、本出願の適切な位置の外部のエリアをナビゲートしようとするフラストレーションを効果的に解消する。
【００４８】
本発明による実施例を図示及び説明したが、本発明はそれに限定されるものでなく、当業者に知られているような多数の変更及び改良が可能であることは理解されるべきである。このため、ここに図示及び記載した詳細に限定されることを所望せず、当業者に自明なものとしてこのようなすべての変更及び改良をカバーすることが意図される。
【図面の簡単な説明】
【００４９】
【図１】図１は、医療情報管理システムのデータドメインをナビゲート及びアクセスするための本発明の内容に応じたユーザ中心ベース方法が利用可能な医療提供者（病院など）の施設にインストールされるものなど、典型的なコンピュータネットワークの複雑さを低減したブロック図である。
【図２】図２は、本発明の内容に応じたユーザ中心ベース方法がインストールされた心臓血管画像情報管理システムの９つのユーザクラスを図解的に示す。
【図３】図３は、本発明の内容に応じたユーザ中心ベースナビゲーション機構を利用する心臓血管画像情報管理システムのユーザのワークステーション上に表示されるログオン画面を示す。
【図４】図４は、システムにログインしたユーザが医師／心臓内科医である本発明の内容に応じたユーザ中心ベースナビゲーション機構を利用した心臓血管画像情報管理システムのユーザのワークステーション上に表示されるワークフローホームページを示す。
【図５】図５は、図４の医師のワークフローホームページのワークフロー図の１以上のファンクションをナビゲートする過程において医師のワークステーション上に表示される医師のグラフィックユーザインタフェースの一例を示す。
【図５Ａ】図５Ａは、患者検索情報を表示した画面例を示す。
【図５Ｂ】図５Ｂは、エクスポート検査情報を表示する画面例を示す。
【図５Ｃ】図５Ｃは、医師のＶＯＭＮビューを表示した画面例を示す。
【図６】図６は、システムにログインしたユーザが担当エリア看護士である本発明の内容に応じたユーザ中心ベースナビゲーション機構を利用する心臓血管画像情報管理システムのユーザのワークステーション上に表示されるワークフローホームページを示す。
【図６Ａ】図６Ａは、担当エリア看護士ログオン画面例を示す。
【図７】図７は、システムにログインしたユーザが臨床技師（ラボ技術者）である本発明の内容に応じたユーザ中心ベースナビゲーション機構を利用した心臓血管画像情報管理システムのユーザのワークステーション上に表示されるワークフローホームページを示す。
【図８】図８は、システムにログインしたユーザがスケジューラである本発明の内容に応じたユーザ中心ベースナビゲーション機構を利用した心臓血管画像情報管理システムのユーザのワークステーション上に表示されるワークフローホームページを示す。
【図９】図９は、システムにログインしたユーザが情報技術者（ＩＴ）又はチーフ情報オフィサ（ＣＩＯ）である内容に応じたユーザ中心ベースナビゲーション機構を利用した心臓血管画像情報管理システムのユーザのワークステーション上に表示されるＩＴログオン画面を示す。
【図９Ａ】図９Ａは、図９に係るＩＴ／ＣＩＯユーザのワークフローを示す。
【図１０】図１０は、システムにログインしたユーザがシステムアドミニストレータである本発明の内容に応じたユーザ中心ベースナビゲーション機構を利用した心臓血管画像情報管理システムのユーザのワークステーション上に表示されるログオン画面を示す。
【図１０Ａ】図１０Ａは、図１０に係るシステムアドミニストレータのワークフローを示す。
【図１１】図１１は、システムにログインしたユーザが部門アドミニストレータである本発明の内容に応じたユーザ中心ベースナビゲーション機構を利用した心臓血管画像情報管理システムのユーザのワークステーション上に表示されるログオン画面を示す。
【図１１Ａ】図１１Ａは、図１１に係る部門アドミニストレータのワークフローを示す。
【図１２】図１２は、システムにログインしたユーザが登録看護士である本発明の内容に応じたユーザ中心ベースナビゲーション機構を利用した心臓血管画像情報管理システムのユーザのワークステーション上に表示されるログオン画面を示す。
【図１２Ａ】図１２Ａは、図１２のログオン画面の画面フィールドの一例の拡大図を示す。
【図１２Ｂ】図１２Ｂは、図１２のログオン画面に係る登録看護士のワークフローを示す。
【図１３】図１３は、チーフエグゼクティブオフィサ、チーフオペレーティングオフィサ、チーフファイナンシャルオフィサ、チーフメディカルオフィサ又は病院の他のシニアエグゼクティブなど、システムにログインしたユーザがエグゼクティブである本発明の内容に応じたユーザ中心ベースナビゲーション機構を利用した心臓血管画像情報管理システムのユーザのワークステーション上に表示されるワークフローを示す。
【図１３Ａ】図１３Ａは、ＣＸＯのＶＯＭＮ画面の一例を示す。
【図１】
0005909315.tif 000002
【図２】
0005909315.tif 000003
【図３】
0005909315.tif 000004
【図４】
0005909315.tif 000005
【図５】
0005909315.tif 000006
【図５Ａ】
0005909315.tif 000007
【図５Ｂ】
0005909315.tif 000008
【図５Ｃ】
0005909315.tif 000009
【図６】
0005909315.tif 000010
【図６Ａ】
0005909315.tif 000011
【図７】
0005909315.tif 000012
【図８】
0005909315.tif 000013
【図９】
0005909315.tif 000014
【図９Ａ】
0005909315.tif 000015
【図１０】
0005909315.tif 000016
【図１０Ａ】
0005909315.tif 000017
【図１１】
0005909315.tif 000018
【図１１Ａ】
0005909315.tif 000019
【図１２】
0005909315.tif 000020
【図１２Ａ】
0005909315.tif 000021
【図１２Ｂ】
0005909315.tif 000022
【図１３】
0005909315.tif 000023
【図１３Ａ】
0005909315.tif 000024